(57)【要約】【課題】分析物の種類（大分類）を細分化した小分類に対応する分析条件を用いて、分析物を分析することが可能な分析装置を提供する。【解決手段】この分析装置は、複数の動物種の血液検体を分析可能な血液分析装置であって、血液検体に対応する所定の動物種（大分類）を選択するための動物種コンボボックス２３と、所定の動物種に属するカテゴリ（小分類）を選択可能な状態に表示するカテゴリコンボボックス２４と、表示されたカテゴリの中から選択された所定のカテゴリに対応する分析条件に基づいて血液検体の測定データの分析を実行する端末側制御部１２とを備えている。【選択図】図４
2006017637.tif 000002
【特許請求の範囲】
【請求項１】
複数種類の分析物を分析可能な分析装置であって、
前記分析物の種類を示す大分類の中から前記分析物に対応する所定の大分類を選択するための大分類選択手段と、
前記所定の大分類に属する小分類を選択可能な状態に表示する小分類選択表示手段と、
前記表示された小分類の中から選択された所定の小分類に対応する分析条件に基づいて前記分析物の測定データの分析を実行する分析制御手段とを備えた、分析装置。
【請求項２】
前記大分類と、前記大分類に属する小分類とを対応付けて記憶する分類記憶手段と、
少なくとも前記小分類に対応する分析条件を記憶する分析条件記憶手段とをさらに備え、
前記小分類選択表示手段は、前記大分類選択手段により選択された前記所定の大分類に属する小分類を、前記分類記憶手段に記憶された小分類から抽出するとともに、前記抽出した小分類を選択可能に表示し、
前記分析制御手段は、前記小分類選択表示手段によって選択された小分類に基づいて、前記分析条件記憶手段から対応する分析条件を読み出すとともに、前記読み出した分析条件に基づいて前記測定データの分析を実行する、請求項１に記載の分析装置。
【請求項３】
前記分析制御手段は、前記測定データを処理して前記分析物の処理済測定データを取得するとともに、前記分析条件に基づいて前記処理済測定データを評価する、請求項１または２に記載の分析装置。
【請求項４】
前記分析条件は、前記選択された所定の小分類に対応するとともに、所定の測定項目に該当する前記処理済測定データが異常か否かを判定するためのしきい値を含み、
前記分析制御手段は、前記分析条件に基づいて前記処理済測定データを評価する際に、前記しきい値に基づいて前記所定の測定項目に該当する前記処理済測定データが異常か否かを判定する、請求項３に記載の分析装置。
【請求項５】
前記分析条件は、前記所定の小分類に対応するとともに、前記処理済測定データについて所定のメッセージを出力する必要があるか否かを判定するための判定式を含み、
前記分析制御手段は、前記分析条件に基づいて前記処理済測定データを評価する際に、前記判定式に基づいて前記処理済測定データについて前記所定のメッセージを出力する必要があるか否かを判定する、請求項３または４に記載の分析装置。
【請求項６】
前記分析制御手段は、前記選択された所定の小分類が属する前記大分類に対応する分析条件に基づいて、前記測定データを処理して所定の分析項目に該当する処理済測定データを取得する、請求項１〜５のいずれか１項に記載の分析装置。
【請求項７】
前記小分類選択表示手段は、前記選択された所定の大分類に属する小分類の一覧を表示するとともに、前記小分類の一覧から選択された所定の小分類を表示する機能を有する、請求項１〜６のいずれか１項に記載の分析装置。
【請求項８】
前記大分類と、前記大分類に属する小分類とを対応付けて記憶するとともに、前記小分類と、前記小分類に対応する属性情報とを対応付けて記憶する分類記憶手段と、
前記所定の小分類が選択されたことに基づいて、前記所定の小分類に対応する前記属性情報を前記分類記憶手段から読み出すとともに表示する属性情報表示手段とをさらに備えた、請求項１〜７のいずれか１項に記載の分析装置。
【請求項９】
前記大分類は、前記分析物が由来する動物の種類を含む、請求項１〜８のいずれか１項に記載の分析装置。
【請求項１０】
複数種類の分析物を分析可能な分析プログラムであって、
前記分析物の種類を示す大分類の中から前記分析物に対応する所定の大分類を選択するステップと、
前記所定の大分類に属する小分類を選択可能な状態に表示するステップと、
前記表示された小分類の中から選択された所定の小分類に対応する分析条件に基づいて前記分析物の測定データの分析を実行するステップとを備えた、分析プログラム。
【請求項１１】
複数種類の分析物を分析可能な分析装置であって、
前記分析物の測定を行うことにより測定データを取得する測定部と、
前記測定部により取得された前記分析物の測定データの分析処理を行うデータ処理部とを備え、
前記データ処理部は、
前記分析物の種類を示す大分類の中から前記分析物に対応する所定の大分類を選択するための大分類選択手段と、
前記所定の大分類に属する小分類を選択可能な状態に表示する小分類選択表示手段と、
前記表示された小分類の中から選択された所定の小分類に対応する分析条件に基づいて前記分析物の測定データの分析を実行する分析制御手段とを備えた、分析装置。
【発明の詳細な説明】
【技術分野】
【０００１】
本発明は、分析装置および分析プログラムに関し、特に、複数種類の分析物を分析可能な分析装置および分析プログラムに関する。
【背景技術】
【０００２】
従来、複数種類の分析物を分析可能な分析装置が知られている（たとえば、特許文献１参照）。
【０００３】
上記特許文献１に開示された分析装置では、血液検体（分析物）が由来する動物種に応じて測定データの分析条件を変更する自動分析システムを備えているとともに、この自動分析システムにより、入力した動物種に対応する分析条件を用いて血液検体の測定データの分析を行うようにしている。ところで、研究分野においては、動物種をさらに細分化した小分類に分類するとともに、各小分類に対応する分析条件を用いて血液検体の測定データを分析したいという要望がある。たとえば、ラットという動物種をさらに分類して、健康なラット、Ａという疾患を持ったラット、およびＢという疾患を持ったラットなどの小分類に分類するとともに、各小分類に対応する分析条件を用いて血液検体の測定データを分析したいという要望がある。
【特許文献１】米国特許６，３９１，２６３号公報
【発明の開示】
【発明が解決しようとする課題】
【０００４】
しかしながら、上記特許文献１に開示された分析装置では、入力した動物種（大分類）に対応する分析条件を用いて血液検体の測定データの分析を行うようにしているので、動物種を細分化した小分類に対応する分析条件を用いて血液検体の測定データを分析するのが困難であるという問題点がある。
【０００５】
この発明は、上記のような課題を解決するためになされたものであり、この発明の１つの目的は、分析物の種類（大分類）を細分化した小分類に対応する分析条件を用いて、分析物の測定データを分析することが可能な分析装置を提供することである。
【課題を解決するための手段および発明の効果】
【０００６】
上記目的を達成するために、この発明の第１の局面における分析装置は、複数種類の分析物を分析可能な分析装置であって、分析物の種類を示す大分類の中から分析物に対応する所定の大分類を選択するための大分類選択手段と、所定の大分類に属する小分類を選択可能な状態に表示する小分類選択表示手段と、表示された小分類の中から選択された所定の小分類に対応する分析条件に基づいて分析物の測定データの分析を実行する分析制御手段とを備えている。
【０００７】
この第１の局面による分析装置では、上記のように、分析物の種類を示す所定の大分類に属する小分類を選択可能な状態に表示する小分類選択表示手段と、表示された小分類の中から選択された所定の小分類に対応する分析条件に基づいて分析物の測定データの分析を実行する分析制御手段とを設けることによって、分析制御手段により、分析物の種類を細分化した小分類に対応する分析条件を用いて、分析物の測定データを分析することができる。
【０００８】
上記第１の局面による分析装置において、好ましくは、大分類と、大分類に属する小分類とを対応付けて記憶する分類記憶手段と、少なくとも小分類に対応する分析条件を記憶する分析条件記憶手段とをさらに備え、小分類選択表示手段は、大分類選択手段により選択された所定の大分類に属する小分類を、分類記憶手段に記憶された小分類から抽出するとともに、抽出した小分類を選択可能に表示し、分析制御手段は、小分類選択表示手段によって選択された小分類に基づいて、分析条件記憶手段から対応する分析条件を読み出すとともに、読み出した分析条件に基づいて測定データの分析を実行する。このように構成すれば、全ての大分類に属する多数の小分類を選択可能な状態に表示する場合と異なり、小分類選択表示手段により、少ない数の小分類の中から所定の小分類を選択することができる。これにより、容易に、所定の小分類を選択することができる。
【０００９】
上記第１の局面による分析装置において、好ましくは、分析制御手段は、測定データを処理して分析物の処理済測定データを取得するとともに、分析条件に基づいて処理済測定データを評価する。このように構成すれば、容易に、分析制御手段により分析条件に基づいて測定データの分析を行うことができる。
【００１０】
この場合において、好ましくは、分析条件は、選択された所定の小分類に対応するとともに、所定の測定項目に該当する処理済測定データが異常か否かを判定するためのしきい値を含み、分析制御手段は、分析条件に基づいて処理済測定データを評価する際に、しきい値に基づいて所定の測定項目に該当する処理済測定データが異常か否かを判定する。このように構成すれば、容易に、分析制御手段により所定の測定項目に該当する処理済測定データが異常か否かを判定することができる。
【００１１】
上記分析制御手段が分析物の処理済測定データを取得する構成において、好ましくは、分析条件は、所定の小分類に対応するとともに、処理済測定データについて所定のメッセージを出力する必要があるか否かを判定するための判定式を含み、分析制御手段は、分析条件に基づいて処理済測定データを評価する際に、判定式に基づいて処理済測定データについて所定のメッセージを出力する必要があるか否かを判定する。このように構成すれば、容易に、分析制御手段により処理済測定データについて所定のメッセージを出力する必要があるか否かを判定することができる。
【００１２】
上記第１の局面による分析装置において、好ましくは、分析制御手段は、選択された所定の小分類が属する大分類に対応する分析条件に基づいて、測定データを処理して所定の分析項目に該当する処理済測定データを取得する。このように構成すれば、容易に、分析制御手段により大分類に対応する分析条件に基づいて、測定データを処理して所定の分析項目に該当する処理済測定データを取得することができる。
【００１３】
上記第１の局面による分析装置において、好ましくは、小分類選択表示手段は、選択された所定の大分類に属する小分類の一覧を表示するとともに、小分類の一覧から選択された所定の小分類を表示する機能を有する。このように構成すれば、容易に、小分類選択表示手段により表示された小分類の中から所定の小分類を選択することができる。
【００１４】
上記第１の局面による分析装置において、好ましくは、大分類と、大分類に属する小分類とを対応付けて記憶するとともに、小分類と、小分類に対応する属性情報とを対応付けて記憶する分類記憶手段と、所定の小分類が選択されたことに基づいて、所定の小分類に対応する属性情報を分類記憶手段から読み出すとともに表示する属性情報表示手段とをさらに備えている。このように構成すれば、所定の小分類を選択することにより、その所定の小分類に対応する属性情報を表示させることができるので、所定の小分類に対応する属性情報を確認しながら、所定の小分類を選択することができる。
【００１５】
上記第１の局面による分析装置において、好ましくは、大分類は、分析物が由来する動物の種類を含む。このように構成すれば、小分類選択表示手段により、所定の動物の種類（大分類）に属する小分類のみを容易に選択可能に表示することができるとともに、分析制御手段により、選択された動物の種類の小分類に対応する分析条件を用いて、動物に関する分析物の測定データを分析することができる。
【００１６】
この発明の第２の局面における分析プログラムは、複数種類の分析物を分析可能な分析プログラムであって、分析物の種類を示す大分類の中から分析物に対応する所定の大分類を選択するステップと、所定の大分類に属する小分類を選択可能な状態に表示するステップと、表示された小分類の中から選択された所定の小分類に対応する分析条件に基づいて分析物の測定データの分析を実行するステップとを備えている。
【００１７】
この第２の局面による分析プログラムでは、上記のように、分析物の種類を示す所定の大分類に属する小分類を選択可能な状態に表示するとともに、表示された小分類の中から選択された所定の小分類に対応する分析条件に基づいて分析物の測定データの分析を実行することによって、分析物の種類を細分化した小分類に対応する分析条件を用いて、分析物の測定データを分析することができる。
【００１８】
この発明の第３の局面における分析装置は、複数種類の分析物を分析可能な分析装置であって、分析物の測定を行うことにより測定データを取得する測定部と、測定部により取得された分析物の測定データの分析処理を行うデータ処理部とを備え、データ処理部は、分析物の種類を示す大分類の中から分析物に対応する所定の大分類を選択するための大分類選択手段と、所定の大分類に属する小分類を選択可能な状態に表示する小分類選択表示手段と、表示された小分類の中から選択された所定の小分類に対応する分析条件に基づいて分析物の測定データの分析を実行する分析制御手段とを備えている。
【００１９】
この第３の局面による分析装置では、上記のように、データ処理部に、分析物の種類を示す所定の大分類に属する小分類を選択可能な状態に表示する小分類選択表示手段と、表示された小分類の中から選択された所定の小分類に対応する分析条件に基づいて分析物の測定データの分析を実行する分析制御手段とを設けることによって、データ処理部の分析制御手段により、分析物の種類を細分化した小分類に対応する分析条件を用いて、測定部により測定した分析物の測定データを分析することができる。
【発明を実施するための最良の形態】
【００２０】
以下、本発明の実施形態を図面に基づいて説明する。なお、以下の実施形態では、本発明による分析装置の一例として動物の血液を分析するための血液分析装置について説明する。
【００２１】
図１は、本発明の一実施形態による動物の血液を分析するための血液分析装置の全体構成を示した斜視図である。図２は、図１に示した一実施形態による動物の血液を分析するための血液分析装置の内部構成を説明するためのブロック図である。図３は、図１に示した一実施形態による動物の血液を分析するための血液分析装置の端末側制御部の機能について説明するための図である。まず、図１〜図３を参照して、本発明の一実施形態による動物の血液を分析するための血液分析装置の構成について説明する。
【００２２】
本実施形態による動物の血液を分析するための血液分析装置は、図１に示すように、測定装置１と、データ処理端末２と、空圧源部３と、ページプリンタ４と、カラーグラフィックプリンタ５と、データプリンタ６とを備えている。測定装置１は、動物の血液検体の測定データを測定する測定部１ａと、血液検体を自動的に測定部１ａに供給する搬送部１ｂとを含んでいる。データ処理端末２は、コンピュータ（ＰＣ）、キーボード、マウスおよびディスプレイを含んでおり、測定部１ａにより測定された血液検体の測定データを分析処理する機能を有する。空圧源部３は、測定部１ａで使用する陽圧およびバキューム圧の空気を生成するとともに、その生成した陽圧およびバキューム圧の空気を測定部１ａに供給する機能を有している。ページプリンタ４は、測定データを分析処理することにより得た処理済測定データの表などを印字するために設けられている。カラーグラフィックプリンタ５は、後述するスキャッタグラムなどの処理済測定データや、データ処理端末２のディスプレイに表示された画像を印字するために設けられている。データプリンタ６は、測定装置１により測定された血液検体の測定データを伝票形式の用紙に印字するために設けられている。
【００２３】
また、測定部１ａは、図２に示すように、吸引部７と、試料調製部８と、検出部９と、測定部側制御部１０と、入出力インターフェイス１１とを含んでいる。吸引部７は、血液検体を構成する血液を吸引する機能と、試薬容器（図示せず）から血液の測定に用いる試薬を吸引する機能とを有している。試料調製部８は、吸引部７により吸引された血液と試薬とを混合することによって、血液の希釈、溶血および染色などの処理により測定すべき試料を調製する。検出部９は、試料調製部８により調製された試料に含まれる各種血球やヘモグロビンについての測定を行う。また、検出部９は、光学系検出部９ａと、電気系検出部９ｂと、吸光度検出部９ｃとを含んでいる。
【００２４】
光学系検出部９ａは、フローサイトメトリ法により試料に含まれる白血球（ＷＢＣ）系の測定を行う。このフローサイトメトリ法による白血球系の測定では、血液検体に含まれる血球をフローセル（図示せず）で一つずつ流すとともに、その血球にレーザ光を照射して得られる側方散乱光と側方蛍光とを検出する。この側方散乱光から白血球の大きさが測定されるとともに、側方蛍光から核や顆粒などの白血球の内部情報が測定される。電気系検出部９ｂは、ＤＣ（Ｄｉｒｅｃｔ  Ｃｕｒｒｅｎｔ）検出方式により赤血球（ＲＢＣ）および血小板（ＰＬＴ）の測定を行う。このＤＣ検出方式による測定では、直流電流を流した検出部細孔（図示せず）の中を細胞（赤血球および血小板）が通過するときの電極間のインピーダンス変化をパルスとしてグラフに表すことにより、そのパルスの高さから細胞（赤血球および血小板）の大きさを測定する。吸光度検出部９ｃは、試料の吸光度を測定することにより、ヘモグロビン（ＨＧＢ）濃度の測定を行う。
【００２５】
また、測定部側制御部１０は、ＣＰＵ、ＲＯＭ、ＲＡＭおよびＡ／Ｄ変換回路などを含んでいる。この測定部側制御部１０は、血液検体の測定時に検出部９から出力されるアナログ信号のデータをデジタル信号のデータに変換するとともに、そのデジタル信号のデータから分析すべき測定データを算出する機能を有している。また、測定部側制御部１０は、算出した測定データを入出力インターフェイス１１を介してデータ処理端末２に出力する。また、測定部側制御部１０は、吸引部７、試料調製部８および検出部９などの動作を制御する機能を有している。
【００２６】
また、データ処理端末２は、ディスプレイからなる表示部２ａと、マウスやキーボードからなる入力部２ｂと、コンピュータからなる端末本体２ｃとを含んでいる。表示部２ａは、端末本体２ｃから出力される種々の情報や操作画面を表示するために設けられている。入力部２ｂは、所定の情報を端末本体２ｃに入力したり、表示部２ａに表示された操作画面における種々の選択を行うために設けられている。端末本体２ｃは、端末側制御部１２と、入出力インターフェイス１３とを含んでいる。また、端末側制御部１２は、血液検体の動物種と、動物種に属するカテゴリとを対応付けて記憶するように構成されている。また、カテゴリとは、血液検体の動物種をさらに細分化した小分類を意味する。たとえば、動物種が「マウス」の場合には、カテゴリとして「マウス標準」や「マウス００１」などの小分類が用いられる。
【００２７】
また、動物種およびカテゴリは、図３に示すように、カテゴリテーブル１４により対応付けて端末側制御部１２（図２参照）に記憶される。具体的には、カテゴリテーブル１４においてラット標準のカテゴリは、ラットの動物種と対応付けられている。また、各カテゴリに対応して、動物種の年齢の下限値（０．０〜９９９．９）および上限値（０．０〜９９９．９）と、年齢の下限値および上限値の単位（週、月または年）と、動物種の性別（オス、メスまたは両性）とが、端末側制御部１２（図２参照）に記憶されている。なお、「両性」とは、オスまたはメスのいずれか一方の性別を意味する。上記のカテゴリの名称と、動物種と、動物種の年齢の下限値および上限値と、年齢の下限値および上限値の単位と、動物種の性別とによって、カテゴリ情報が構成されている。
【００２８】
また、端末側制御部１２（図２参照）には、各カテゴリに対応する異常判定しきい値テーブル１５（図３参照）およびフラギング判定値テーブル１６が記憶されている。また、異常判定しきい値テーブル１５およびフラギング判定値テーブル１６は、それぞれ、１つのテーブルが１つのカテゴリに対応して記憶されている。なお、異常判定しきい値テーブル１５およびフラギング判定値テーブル１６は、後述するようにユーザにより設定可能である。また、異常判定しきい値テーブル１５は、各測定項目に対応する処理済測定データが異常か否かを判定するためのしきい値（下限値および上限値）からなる。具体的には、異常判定しきい値テーブル１５は、白血球数（ＷＢＣ）、赤血球数（ＲＢＣ）およびヘモグロビン濃度（ＨＧＢ）などの測定項目毎に設定された各測定項目の値の下限値および上限値によって構成されている。なお、各測定項目の処理済測定データの数値が下限値を下回った場合には、後述する分析結果表示画面において、下限値よりも低い側の警告レベル値であることを知らせる異常判定マーク（−）が表示される。一方、各測定項目の処理済測定データの数値が上限値を上回った場合には、分析結果表示画面において、上限値よりも高い側の警告レベル値であることを知らせる異常判定マーク（＋）が表示される。また、異常判定しきい値テーブル１５のしきい値は、ユーザ側で設定することが可能なように構成されている。
【００２９】
また、フラギング判定値テーブル１６は、図３に示すように、処理済測定データの数値についてフラギングメッセージを出力する必要があるか否かを判定するための複数のフラギング判定式からなる。また、フラギングメッセージは、血液検体に含まれる各種血球および成分の含有量、含有率、粒度分布、状態および成分などが異常である可能性があることを知らせるためのメッセージである。具体的には、フラギング判定値テーブル１６は、「Ｎｅｕｔｒｏｐｅｎｉａ」や「Ｌｙｍｐｈｏｃｙｔｏｓｉｓ」などのフラギングメッセージに対応する各フラギング項目毎に設定されたフラギング判定式（ＮＥＵＴ＃＜１０．０×１０２／μＬ、ＮＥＵＴ％＜１０．０％、や、ＬＹＭＰＨ＃＞４０．０×１０２／μＬ、ＬＹＭＰＨ％＞５０．０％）によって構成されている。なお、「Ｎｅｕｔｒｏｐｅｎｉａ」は、血液検体中の好中球の減少を表すフラギングメッセージであり、「Ｌｙｍｐｈｏｃｙｔｏｓｉｓ」は、血液検体中のリンパ球の増加を表すフラギングメッセージである。また、ＮＥＵＴ＃およびＮＥＵＴ％は、それぞれ、血液検体中の好中球の含有量および含有率を意味するとともに、ＬＹＭＰＨ＃およびＬＹＭＰＨ％は、それぞれ、血液検体中のリンパ球の含有量および含有率を意味する。
【００３０】
また、端末側制御部１２（図２参照）には、各動物種に対応する分析条件が記憶されている。具体的には、端末側制御部１２には、後述するスキャッタグラムからなる測定データを区画分けして血球の種類毎の処理済測定データを得る際のスキャッタグラムの区画分けの方法が各動物種に対応して記憶されている。また、端末側制御部１２は、血液検体の測定により得たスキャッタグラム（測定データ）を血液検体の動物種に対応するスキャッタグラムの区画分けの方法を用いて分析することにより、適切な処理済測定データ（数値データ）を算出する機能を有している。
【００３１】
図４〜図９は、図１に示した一実施形態による血液分析装置のデータ処理端末の操作画面を示した図である。次に、図２〜図９を参照して、本実施形態による動物の血液を分析するための血液分析装置に用いるデータ処理端末の操作画面の構成について説明する。なお、図４〜図９に示す操作画面は、全て、データ処理端末２（図２参照）の表示部２ａに表示される。
【００３２】
図４には、血液検体の測定時の初期設定に用いる測定登録画面が示されている。この測定登録画面は、検体情報選択入力部１７と、検体情報表示部１８と、カテゴリ情報表示部１９とによって構成されている。検体情報選択入力部１７は、血液検体に関する情報を選択したり、入力するために設けられている。なお、この検体情報選択入力部１７では、入力部２ｂ（図２参照）のマウスによりクリックすることによって情報の選択を行うとともに、入力部２ｂのキーボードによって情報の入力を行う。また、検体情報選択入力部１７は、検体番号入力ボックス２０と、ラック番号入力ボックス２１と、試験管位置入力ボックス２２と、動物種コンボボックス２３と、カテゴリコンボボックス２４と、ディスクリートコンボボックス２５と、検体コメント入力ボックス２６とによって構成されている。
【００３３】
検体番号入力ボックス２０は、血液検体の検体番号を入力するために設けられている。ラック番号入力ボックス２１は、血液検体が封入された１０個の試験管を１セットとして収納するラック毎のラック番号を入力するために設けられている。試験管位置入力ボックス２２は、血液検体が封入された試験管のラック内の位置を示す試験管位置番号１〜１０を入力するために設けられている。動物種コンボボックス２３は、複数の動物種の中から血液検体に対応する所定の動物種を選択するために設けられている。具体的には、動物種コンボボックス２３は、図５に示すように、動物種コンボボックス２３の右端の項目選択ボタン２３ａをクリックすることによって、ラット、マウス、ウサギ、イヌ、サルおよびＯｔｈｅｒからなる動物種（大分類）の一覧（プルダウンメニュー）２３ｂが表示されるように構成されている。なお、Ｏｔｈｅｒは、ラット、マウス、ウサギ、イヌおよびサル以外の動物種の血液分析を行う場合に使用する動物種名である。また、表示された動物種のプルダウンメニュー２３ｂの中から所定の動物種をクリックして選択することによって、動物種コンボボックス２３内に選択した動物種が表示されるとともに、動物種のプルダウンメニュー２３ｂが閉じるように構成されている。
【００３４】
ここで、本実施形態では、カテゴリコンボボックス２４は、動物種コンボボックス２３で選択した動物種（大分類）に属するカテゴリ（小分類）を選択可能な状態に表示するとともに、表示されたカテゴリの中から所定のカテゴリを選択するために設けられている。具体的には、カテゴリコンボボックス２４は、図６に示すように、カテゴリコンボボックス２４の右端の項目選択ボタン２４ａをクリックすることによって、カテゴリコンボボックス２４に格納されたカテゴリ（小分類）の一覧（プルダウンメニュー）２４ｂが表示されるように構成されている。また、表示されたカテゴリのプルダウンメニュー２４ｂの中から所定のカテゴリをクリックして選択することによって、カテゴリコンボボックス２４内に選択したカテゴリ名が表示されるとともに、カテゴリのプルダウンメニュー２４ｂが閉じるように構成されている。
【００３５】
なお、カテゴリコンボボックス２４のカテゴリの一覧（プルダウンメニュー）２４ｂは、初期状態では空の状態である。このカテゴリのプルダウンメニュー２４ｂは、動物種コンボボックス２３により所定の動物種（大分類）が選択されることによって、選択された動物種に対応するカテゴリ（小分類）がカテゴリテーブル１４（図３参照）から抽出されてカテゴリのプルダウンメニュー２４ｂに格納されるように構成されている。具体的には、図３に示すように、動物種コンボボックス２３の動物種の一覧（プルダウンメニュー）２３ｂから「ラット」を選択した場合には、カテゴリテーブル１４から、「ラット標準」、「ラット００１」、「ラット００２」、「ラット００３」および「ラット００４」の５つのカテゴリが抽出されてカテゴリコンボボックス２４のカテゴリのプルダウンメニュー２４ｂに格納される。
【００３６】
ディスクリートコンボボックス２５は、図４に示すように、血液検体の分析モードを選択するために設けられている。また、ディスクリートコンボボックス２５は、ディスクリートコンボボックス２５の右端の項目選択ボタン２５ａをクリックすることによって、血液検体の分析モードの一覧（プルダウンメニュー）（図示せず）が表示されるように構成されている。この血液検体の分析モードのプルダウンメニュー（図示せず）は、ＣＢＣ、ＣＢＣ＋ＤＩＦＦ、ＣＢＣ＋ＤＩＦＦ＋ＲＥＴおよびＣＢＣ＋ＲＥＴの４つのモードからなる。
【００３７】
なお、ＣＢＣの分析モードは、赤血球、白血球および血小板の数を測定する分析モードである。ＤＩＦＦの分析モードは、白血球の５分類であるリンパ球、単球、好酸球、好中球および好塩基球について分析する分析モードである。ＲＥＴは、網状赤血球について分析する分析モードである。したがって、ＣＢＣ＋ＤＩＦＦの分析モードでは、赤血球、白血球および血小板の数が測定されるとともに、リンパ球、単球、好酸球、好中球および好塩基球について分析される。また、ＣＢＣ＋ＤＩＦＦ＋ＲＥＴの分析モードでは、赤血球、白血球および血小板の数が測定されるとともに、リンパ球、単球、好酸球、好中球および好塩基球と、網状赤血球とについて分析される。また、ＣＢＣ＋ＲＥＴの分析モードでは、赤血球、白血球および血小板の数が測定されるとともに、網状赤血球について分析される。
【００３８】
また、ディスクリートコンボボックス２５は、表示された分析モードの一覧（プルダウンメニュー）（図示せず）から所定の分析モードをクリックして選択することによって、選択した分析モードがディスクリートコンボボックス２５内に表示されるとともに、分析モードのプルダウンメニューは閉じるように構成されている。また、検体コメント入力ボックス２６は、ユーザが血液検体に関するコメントを入力するために設けられている。
【００３９】
また、検体情報表示部１８では、各血液検体に関する情報が表示される。すなわち、検体番号、カテゴリ、動物種、ディスクリート（分析モード）、ラック番号、試験管位置番号、ステータスおよび検体コメントからなる情報が各血液検体毎に表示される。なお、ステータスは、その血液検体の測定の状態（ＣＯＭＰ、ＰＥＮＤおよびＥＲＲ）を表す。「ＣＯＭＰ」は、血液検体の測定が完了したことを表す。また、「ＰＥＮＤ」は、血液検体の測定が未完了であることを表す。また、「ＥＲＲ」は、血液検体の測定にエラーが生じたことを表す。
【００４０】
また、本実施形態では、カテゴリ情報表示部１９は、カテゴリコンボボックス２４において所定のカテゴリを選択することにより、選択した所定のカテゴリに対応するカテゴリ情報が表示されるように構成されている。また、カテゴリ情報表示部１９は、カテゴリ名称表示ボックス２７と、動物種表示ボックス２８と、性別表示ボックス２９と、年齢単位表示ボックス３０と、年齢下限値表示ボックス３１と、年齢上限値表示ボックス３２とによって構成されている。このカテゴリ名称表示ボックス２７、動物種表示ボックス２８、性別表示ボックス２９、年齢単位表示ボックス３０、年齢下限値表示ボックス３１および年齢上限値表示ボックス３２には、それぞれ、カテゴリコンボボックス２４において選択されたカテゴリのカテゴリ情報に含まれるカテゴリ名、動物種、性別、年齢単位、年齢下限値および年齢上限値がカテゴリテーブル１４（図３参照）から読み出されて表示される。
【００４１】
図７には、カテゴリ設定画面が示されている。ユーザは、このカテゴリ設定画面により、血液検体の測定を行う前に、予めカテゴリの設定を行うことが可能である。また、カテゴリ設定画面は、カテゴリの設定を行うためのカテゴリ設定部３３と、カテゴリ設定部３３により設定されたカテゴリの情報が表示されるカテゴリ表示部３４とによって構成されている。カテゴリ設定部３３は、カテゴリ名入力ボックス３５と、動物種コンボボックス３６と、年齢上限値入力ボックス３７と、年齢下限値入力ボックス３８と、年齢単位コンボボックス３９と、性別コンボボックス４０と、コメント入力ボックス４１とからなる。
【００４２】
カテゴリ名入力ボックス３５は、カテゴリ名を入力するために設けられている。このカテゴリ名としては、動物種名と記号とを組み合わせた名称や、アルファベットのみからなる名称などの種々の名称を用いることができる。また、動物種コンボボックス３６は、上記した設定登録画面における動物種コンボボックス２３（図５参照）と同様に構成されている。年齢上限値入力ボックス３７は、動物種の年齢の上限値を入力するために設けられており、年齢下限値入力ボックスは、動物種の年齢の下限値を入力するために設けられている。年齢単位コンボボックス３９は、上記の年齢の上限値および下限値の単位を設定するために設けられている。この年齢単位コンボボックス３９の右端の項目選択ボタン３９ａをクリックすることによって、週、月および年からなる単位の一覧（プルダウンメニュー）（図示せず）が表示されるように構成されている。この表示された単位のプルダウンメニュー（図示せず）から所定の単位を選択（クリック）することによって、年齢単位コンボボックス３９内に選択した単位が表示されるとともに、単位のプルダウンメニューが閉じるように構成されている。
【００４３】
性別コンボボックス４０は、動物種の性別を設定するために設けられている。この性別コンボボックス４０の右端の項目選択ボタン４０ａをクリックすることによって、オス、メスおよび両性からなる性別の一覧（プルダウンメニュー）（図示せず）が表示されるように構成されている。この表示された性別のプルダウンメニューから所定の性別を選択（クリック）することによって、性別コンボボックス４０内に選択した性別が表示されるとともに、表示された性別のプルダウンメニューが閉じるように構成されている。コメント入力ボックス４１は、必要に応じて、カテゴリに対応するコメントを入力するために設けられている。上記のカテゴリ入力ボックス３５、動物種コンボボックス３６、年齢上限値入力ボックス３７、年齢下限値入力ボックス３８、年齢単位コンボボックス３９、性別コンボボックス４０およびコメント入力ボックス４１によって設定されたカテゴリの内容は、一覧表形式でカテゴリ表示部３４に表示されるとともに、図３に示したカテゴリテーブル１４に反映される。
【００４４】
図８には、フラギング判定値設定画面が示されている。このフラギング判定値設定画面は、各カテゴリに対応するフラギング判定値テーブル１６（図３参照）のフラギング判定式を設定するための画面である。このフラギング判定値設定画面には、カテゴリコンボボックス４２と、動物種表示ボックス４３と、年齢単位表示ボックス４４と、性別表示ボックス４５と、年齢下限値表示ボックス４６と、年齢上限値表示ボックス４７と、フラギング判定式設定部４８とが設けられている。カテゴリコンボボックス４２は、上記した測定登録画面のカテゴリコンボボックス２４（図６参照）と同様の構成を有している。また、動物種表示ボックス４３、年齢単位表示ボックス４４、性別表示ボックス４５、年齢下限値表示ボックス４６および年齢上限値表示ボックス４７は、それぞれ、カテゴリコンボボックス４２により選択したカテゴリに対応する動物種、年齢単位、性別、年齢の下限値および上限値がカテゴリテーブル１４（図３参照）から読み出されて表示されるように構成されている。
【００４５】
また、フラギング判定式設定部４８は、白血球（ＷＢＣ）や赤血球（ＲＢＣ）および網状赤血球（ＲＥＴ）などの血球の種類毎に種々のフラギング判定式を設定することが可能なように構成されている。このフラギング判定式設定部４８は、各フラギングメッセージ４８ａに対応する数値入力ボックス４８ｂに所定の数値を入力することによりフラギング判定式を設定するように構成されている。たとえば、図８に示したフラギング判定式設定部４８では、「Ｎｅｕｔｒｏｐｅｎｉａ」（好中球の減少）のフラギングメッセージ４８ａに対応する数値入力ボックス４８ｂに「１０．０」を入力することにより、ＮＥＵＴ＃（好中球の含有量）＜１０．０×１０２／μＬまたはＮＥＵＴ％（好中球の含有率）＜１０．０％のときに「Ｎｅｕｔｒｏｐｅｎｉａ」のフラギングメッセージ４８ａが表示されるように設定されている。また、各フラギングメッセージ４８ａに対応するフラギング項目毎に、チェックボックス４８ｃが設けられている。このチェックボックス４８ｃにチェックを入れた場合には、対応するフラギング項目のフラギングの判定が実施される一方、チェックを入れない場合には、対応するフラギング項目のフラギングの判定は実施されない。
【００４６】
図９には、血液検体の測定データの分析結果を表示するための分析結果表示画面が示されている。この分析結果表示画面は、グラフ表示部４９と、数値データ表示部５０と、フラギングメッセージ表示部５１と、フラグ状態表示部５２と、検体情報表示部５３と、切替タグ表示部５４とによって構成されている。グラフ表示部４９は、ＤＩＦＦスキャッタグラム５５と、ＷＳＣ／ＢＡＳＯスキャッタグラム５６と、ＲＥＴスキャッタグラム５７と、ＲＢＣ粒度分布５８と、ＰＬＴ粒度分布５９とによって構成されている。ＤＩＦＦスキャッタグラム５５には、白血球の５分類であるリンパ球（ＬＹＭＰＨ）、単球（ＭＯＮＯ）、好酸球（ＥＯ）、好中球（ＮＥＵ）および好塩基球（ＢＡＳＯ）の測定データが示されている。ＷＳＣ／ＢＡＳＯスキャッタグラム５６には、好塩基球（ＢＡＳＯ）、単核球（ＬＹＭＰＨ＋ＭＯＮＯ）および好塩基球以外の多核球（ＮＥＵＴ＋ＥＯ）の測定データが示されている。ＲＥＴスキャッタグラム５７には、網状赤血球（ＲＥＴ）の測定データが示されている。また、ＤＩＦＦスキャッタグラム５５、ＷＳＣ／ＢＡＳＯスキャッタグラム５６およびＲＥＴスキャッタグラム５７には、フローサイトメトリ法によって測定した血液検体の側方散乱光強度が横軸に表されるとともに、側方蛍光強度が縦軸に表されている。これにより、ＤＩＦＦスキャッタグラム５５、ＷＳＣ／ＢＡＳＯスキャッタグラム５６およびＲＥＴスキャッタグラム５７には、測定データの分布がグラフ化されたスキャッタグラムが表されている。これらのスキャッタグラムでは、血球の種類によって血球の分布する領域が異なる。このため、各血球の種類に対応する領域毎にスキャッタグラムを区画分けすることによって、血球の種類毎の分画領域が得られる。このようにして得られた血球の種類毎の分画領域から所定の演算を行うことにより、血液検体中の血球の種類毎の処理済測定データ（白血球数、白血球の５分類の粒子数および比率や、網状赤血球数など）が得られる。
【００４７】
また、ＲＢＣ粒度分布５８には、赤血球（ＲＢＣ）の測定データが示されているとともに、ＰＬＴ粒度分布５９には、血小板（ＰＬＴ）の測定データが示されている。このＲＢＣ粒度分布５８およびＰＬＴ粒度分布５９には、ＤＣ検出方式により検出されたインピーダンス変化がパルスとして表されている。このパルスの高さは、検出された血球（赤血球および血小板）の大きさを反映するので、ＲＢＣ粒度分布５８およびＰＬＴ粒度分布５９には、それぞれ、赤血球および血小板の粒度分布が表されている。このＲＢＣ粒度分布５８およびＰＬＴ粒度分布５９により、赤血球数や血小板数などの処理済測定データが得られる。なお、図２に示した吸光度検出部９ｃにより血液検体の吸光度を測定することにより、ヘモグロビン（ＨＧＢ）の濃度が測定される。数値データ表示部５０には、上記のＤＩＦＦスキャッタグラム５５、ＷＳＣ／ＢＡＳＯスキャッタグラム５６、ＲＥＴスキャッタグラム５７、ＲＢＣ粒度分布５８およびＰＬＴ粒度分布５９から得られた処理済測定データ（測定結果）や、別途測定されたヘモグロビン（ＨＧＢ）濃度などの処理済測定データ（測定結果）が所定の測定項目毎に表示されている。
【００４８】
また、フラギングメッセージ表示部５１は、フラギングメッセージを表示するために設けられている。このフラギングメッセージ表示部５１は、白血球（ＷＢＣ）に関するフラギングメッセージを表示する白血球フラギングメッセージ表示部５１ａと、赤血球（ＲＢＣ）および網状赤血球（ＲＥＴ）に関するフラギングメッセージを表示する赤血球フラギングメッセージ表示部５１ｂと、血小板（ＰＬＴ）に関するフラギングメッセージを表示する血小板フラギングメッセージ表示部５１ｃとによって構成されている。また、フラグ状態表示部５２は、フラギングメッセージ表示部５１にフラギングメッセージが表示された場合には陽性を意味する「ＰＯＳＩＴＩＶＥ」を表示する一方、フラギングメッセージ表示部５１にフラギングメッセージが表示されない場合には、陰性を意味する「ＮＥＧＡＴＩＶＥ」を表示するように構成されている。
【００４９】
また、検体情報表示部５３には、分析した血液検体に関する情報が表示される。この検体情報表示部５３は、検体番号表示部６０と、カテゴリ表示部６１と、動物種表示部６２と、性別表示部６３と、年齢下限値表示部６４と、年齢上限値表示部６５と、年齢単位表示部６６と、測定年月日表示部６７と、測定時刻表示部６８と、解析プロファイル表示部６９とによって構成されている。検体番号表示部６０には、血液検体の検体番号が表示される。カテゴリ表示部６１には、測定登録画面のカテゴリコンボボックス２４（図４参照）により選択したカテゴリ（小分類）が表示される。動物種表示部６２には、測定登録画面の動物種コンボボックス２３（図４参照）により選択した動物種名（大分類）が表示される。性別表示部６３には、選択したカテゴリのカテゴリ情報に含まれる性別が表示される。年齢下限値表示部６４および年齢上限値表示部６５には、それぞれ、選択したカテゴリのカテゴリ情報に含まれる動物種の年齢の下限値および上限値が表示される。年齢単位表示部６６には、年齢の下限値および上限値の単位が表示される。測定年月日表示部６７には血液検体の測定を行った年月日が表示されるとともに、測定時刻表示部６８には、血液検体の測定を行った時刻が表示される。解析プロファイル表示部６９には、所定の解析プロファイルが表示される。
【００５０】
また、切替タグ表示部５４は、グラフ表示部４９および数値データ表示部５０に表示させる測定データおよび数値データの表示形態を切り替えるために設けられている。切替タグ表示部５４は、メインタグ７０、グラフタグ７１、ＷＢＣタグ７２、ＲＢＣタグ７３、サービスタグ７４、リサーチ（ＷＢＣ系）タグ７５およびリサーチ（ＲＢＣ系）タグ７６からなる。メインタグ７０は、主要な測定データ（グラフ）および数値データを表示させるためのタグである。グラフタグ７１は、血液検体の分析により得られた全ての測定データ（グラフ）および数値データを表示させるためのタグである。ＷＢＣタグ７２は、白血球に関する測定データ（グラフ）および数値データを表示させるためのタグである。ＲＢＣタグ７３は、赤血球に関する測定データ（グラフ）および数値データを表示させるためのタグである。サービスタグ７４は、所定のサービスデータを表示させるためのタグである。リサーチ（ＷＢＣ系）タグ７５は、白血球に関する所定のリサーチ項目を表示させるためのタグである。リサーチ（ＲＢＣ系）タグ７６は、赤血球に関する所定のリサーチ項目を表示させるためのタグである。図９に示す分析結果表示画面では、グラフタグ７１が選択されているので、血液検体の分析により得られた全ての測定データ（グラフ）および数値データが、グラフ表示部４９および数値データ表示部５０に表示されている。
【００５１】
図１０〜図１３は、本発明の一実施形態による動物の血液を分析するための血液分析装置の血液検体を分析する際の動作を説明するためのフローチャートである。次に、図２〜図６および図９〜図１３を参照して、本発明の一実施形態による動物の血液を分析するための血液分析装置の血液検体を分析する際の動作について説明する。なお、図１０および図１１のフローチャートにおいて、台形で表したステップは、ユーザによって行われる処理を表しており、長方形で表したステップは、血液分析装置の端末側制御部１２（図２参照）によって行われる処理を表している。
【００５２】
本実施形態による動物の血液を分析するための血液分析装置の血液検体を分析する際の概略的な動作は、図１０に示すように、ステップＳ１〜ステップＳ８の動作からなる。まず、ステップＳ１において、測定登録画面（図４参照）により初期設定としての測定登録を行う。この測定登録の詳細動作は、図１１に示すように、ステップＳ１０１〜ステップＳ１１１の動作からなる。まず、ステップＳ１０１において、測定登録画面の動物種コンボボックス２３（図５参照）により動物種（大分類）の選択を行う。具体的には、動物種コンボボックス２３の項目選択ボタン２３ａ（図５参照）をクリックすることにより動物種の一覧からなるプルダウンメニュー２３ｂを表示させるとともに、表示された動物種のプルダウンメニュー２３ｂの中から所定の動物種を選択（クリック）する。これにより、ステップＳ１０２において、動物種コンボボックス２３の動物種のプルダウンメニュー２３ｂ内の選択した動物種に対応する位置情報が端末側制御部１２（図２参照）により取得される。なお、動物種のプルダウンメニュー２３ｂにおいて選択した動物種は、動物種コンボボックス２３内に表示される。次に、ステップＳ１０３において、取得された位置情報から選択した動物種に対応する動物種ＩＤが選択される。なお、この動物種ＩＤは、各動物種毎に付与された動物種を識別するための記号である。
【００５３】
次に、ステップＳ１０４において、カテゴリテーブル１４（図３参照）から、選択された動物種ＩＤに該当するカテゴリ（小分類）の数（Ｎ）および情報を取得する。具体的には、図３に示すように、動物種コンボボックス２３の動物種の一覧（プルダウンメニュー）２３ｂからラットを選択した場合には、カテゴリテーブル１４からラットに対応するカテゴリ（ラット標準、ラット００１、ラット００２、ラット００３およびラット００４）の数Ｎ＝５と、ラット標準、ラット００１、ラット００２、ラット００３およびラット００４のカテゴリ情報とを取得する。次に、図１１に示したステップＳ１０５において、測定登録の処理を行ったカテゴリの件数ｉの「０」への初期化（ｉ＝０）を行う。次に、ステップＳ１０６において、測定登録の処理を行ったカテゴリの件数ｉと、選択した動物種に対応するカテゴリの数Ｎとを比較してｉ＜Ｎかどうかの判断が行われる。この際、ｉ＜Ｎの場合には、ステップＳ１０７に進む一方、ｉ＜Ｎではない場合には、ステップＳ１１１に進む。１件目のカテゴリの処理では、ステップＳ１０５の処理によりｉ＝０となるので、図３に示すように、ラットを選択することにより対応するカテゴリの数Ｎが５の場合には、ｉ＝０＜Ｎ＝５となる。したがって、この場合には、ステップＳ１０７に進む。
【００５４】
次に、ステップＳ１０７において、端末側制御部１２（図２参照）により処理を行うカテゴリ（小分類）のカテゴリＩＤ（ＩｔｅｍＩＤ）をｉ＋１に設定する。なお、カテゴリＩＤは、カテゴリ毎に付与されるカテゴリを識別するための記号である。１件目のカテゴリの処理では、ステップＳ１０５におけるｉ＝０の処理により、ＩｔｅｍＩＤ＝０＋１＝１に設定される。次に、ステップＳ１０８において、ステップＳ１０４において取得したカテゴリ情報の内、上からｉ＋１件目のカテゴリ名を取得する。具体的には、１件目のカテゴリの処理では、ｉ＋１＝１であるので、ステップＳ１０４において取得したカテゴリ情報の内、上から１件目のカテゴリ名を取得する。
【００５５】
次に、ステップＳ１０９において、カテゴリコンボボックス２４（図３参照）のカテゴリの一覧（プルダウンメニュー）２４ｂのＩｔｅｍＩＤ（＝ｉ＋１）の位置（上からＩｔｅｍＩＤ番目の位置）にステップＳ１０８において取得したカテゴリ名を追加する。具体的には、１件目のカテゴリの処理では、ＩｔｅｍＩＤ＝１であるので、カテゴリコンボボックス２４（図３参照）のカテゴリの一覧（プルダウンメニュー）２４ｂの上から１件目の位置にステップＳ１０８において取得したカテゴリ名を追加する。次に、ステップＳ１１０において、ｉ＝ｉ＋１に設定する。具体的には、１件目のカテゴリの処理では、ｉ＝１＋１＝２に設定する。次に、ステップＳ１０６において、再び、測定登録の処理を行ったカテゴリの件数ｉと、選択した動物種に対応するカテゴリの数Ｎとを比較してｉ＜Ｎかどうかの判断が行われる。このようにして、上記したステップＳ１０６〜ステップＳ１１０の処理がｉ＜Ｎではなくなるまで繰り返し行われる。これにより、ステップＳ１０４において取得されたＮ件のカテゴリ名が全てカテゴリコンボボックス２４（図３参照）のカテゴリの一覧（プルダウンメニュー）２４ｂに格納される。
【００５６】
次に、ステップＳ１１１において、カテゴリコンボボックス２４（図６参照）のカテゴリ（小分類）の一覧（プルダウンメニュー）２４ｂから所定のカテゴリを選択する。具体的には、カテゴリコンボボックス２４の項目選択ボタン２４ａ（図６参照）をクリックすることによりカテゴリのプルダウンメニュー２４ｂを表示させるとともに、表示されたカテゴリのプルダウンメニュー２４ｂの中から所定のカテゴリを選択（クリック）する。なお、この際、カテゴリコンボボックス２４内に選択した所定のカテゴリが表示されるとともに、表示されたカテゴリのプルダウンメニュー２４ｂが閉じられる。このようにして、ステップＳ１（ステップＳ１０１〜Ｓ１１１）の測定登録が行われる。
【００５７】
次に、図１０に示すように、ステップＳ２において、測定オーダの登録が自動的に行われる。この測定オーダは、ステップＳ１の測定登録において選択された検体番号、動物種（大分類）およびカテゴリ（小分類）などからなる。次に、ステップＳ３において、血液検体の測定を行う。この際、白血球の測定は、上記したフローサイトメトリ法を用いて、光学系検出部９ａ（図２参照）により側方散乱光と側方蛍光とを検出することによって行われる。また、赤血球系（赤血球および血小板）の測定は、上記したＤＣ検出方式を用いて、電気系検出部９ｂ（図２参照）によりインピーダンスの変化を測定することによって行われる。また、ヘモグロビン（ＨＧＢ）濃度を得るための吸光度の測定は、吸光度検出部９ｃ（図２参照）により行われる。そして、光学系検出部９ａおよび電気系検出部９ｂによって得られたデータに基づいて、測定部側制御部１０により血液検体の散乱光強度や蛍光強度やインピーダンス変化などからなる生データ（デジタルデータ）が算出される。
【００５８】
次に、ステップＳ４において、ステップＳ２で登録された測定オーダの情報（検体番号、動物種（大分類）およびカテゴリ（小分類））が取得される。次に、ステップＳ５において、端末側制御部１２（図２参照）が上記の生データ（デジタルデータ）を取得するとともに、取得した生データに基づいて、ＤＩＦＦスキャッタグラム５５（図９参照）、ＷＳＣ／ＢＡＳＯスキャッタグラム５６、ＲＥＴスキャッタグラム５７、ＲＢＣ粒度分布５８およびＰＬＴ粒度分布５９を作成する。そして、これらのスキャッタグラムおよび粒度分布図（測定データ）を分析処理することによって、数値データからなる処理済測定データ（測定結果）が取得される。なお、スキャッタグラムを分析処理する際には、ステップＳ４において取得された測定オーダの動物種（大分類）に対応する区画分けの方法（分析条件）を用いてスキャッタグラムを区画分けすることにより処理済測定データが得られる。
【００５９】
次に、ステップＳ６において、測定オーダの情報（異常判定しきい値テーブル１５（図３参照））に基づいて、処理済測定データの数値の異常判定を実施する。この異常判定の処理は、図１２に示すように、ステップＳ６０１〜ステップＳ６１０からなる。まず、ステップＳ６０１において、カテゴリＩＤがセットされているかどうかが判断される。このカテゴリＩＤは、ステップＳ１１１（図１１参照）において、所定のカテゴリ（小分類）が選択されることによってセットされる一方、カテゴリが選択されていない場合には、セットされない。そして、カテゴリＩＤがセットされている場合には、ステップＳ６０３に進む一方、カテゴリＩＤがセットされていない場合には、ステップＳ６０２に進む。このステップＳ６０２では、デフォルトカテゴリのカテゴリＩＤがセットされる。なお、デフォルトカテゴリとは、各動物種（大分類）に対応する標準のカテゴリ（小分類）を意味する。たとえば、図３のカテゴリテーブル１４において、動物種がラット（大分類）の場合のデフォルトカテゴリは、ラット標準（小分類）のカテゴリである。
【００６０】
次に、ステップＳ６０３において、カテゴリＩＤに該当する異常判定しきい値テーブル１５（図３参照）を取得する。次に、ステップＳ６０４において、血液検体の全測定項目について異常判定がチェック済みであるかどうかが判断される。血液検体の全測定項目について異常判定がチェック済みである場合には、次のステップＳ７（図１０参照）に進む一方、血液検体の全測定項目について異常判定がチェック済みではない場合には、ステップＳ６０５（図１２参照）に進む。次に、ステップＳ６０５以降において、血液検体の所定の測定項目の処理済測定データの数値が異常判定しきい値テーブル１５（図３参照）の設定値（しきい値）の範囲を超えているかどうかがチェックされる。
【００６１】
ステップＳ６０６では、所定の測定項目の処理済測定データの数値が、対応する異常判定しきい値テーブル１５（図３参照）の下限値よりも小さいかどうかが判断される。所定の測定項目の処理済測定データの数値が、対応する異常判定しきい値テーブル１５（図３参照）の下限値よりも小さい場合には、ステップＳ６０７に進む。一方、所定の測定項目の処理済測定データの数値が、対応する異常判定しきい値テーブル１５（図３参照）の下限値よりも小さくない場合には、ステップＳ６０８に進む。ステップＳ６０７では、異常判定マーク（−）がセットされた後、ステップＳ６１０に進む。また、ステップＳ６０８では、所定の測定項目の処理済測定データの数値が、対応する異常判定しきい値テーブル１５（図３参照）の上限値よりも大きいかどうかが判断される。所定の測定項目の処理済測定データの数値が、対応する異常判定しきい値テーブル１５（図３参照）の上限値よりも大きい場合には、ステップＳ６０９において、異常判定マーク（＋）がセットされた後、ステップＳ６１０に進む。一方、所定の測定項目の処理済測定データの数値が、対応する異常判定しきい値テーブル１５（図３参照）の上限値よりも大きくない場合には、ステップＳ６１０に進む。そして、ステップＳ６１０では、異常判定の対象が次の測定項目に移行する。次に、再び、ステップＳ６０４において、血液検体の全測定項目について異常判定がチェック済みであるかどうかが判断される。上記のステップＳ６０４〜ステップＳ６１０が全ての測定項目について異常判定が完了するまで繰り返し行われる。
【００６２】
次に、図１０に示したステップＳ７において、測定オーダの情報（フラギング判定値テーブル１６（図３参照））に基づいて、処理済測定データの数値のフラギングの判定を実施する。このフラギングの判定の処理は、図１３に示すように、ステップＳ７０１〜ステップＳ７０８からなる。まず、ステップＳ７０１において、カテゴリＩＤがセットされているかどうかが判断される。そして、カテゴリＩＤがセットされている場合には、ステップＳ７０３に進む一方、カテゴリＩＤがセットされていない場合には、ステップＳ７０２に進む。このステップＳ７０２では、デフォルトカテゴリのカテゴリＩＤがセットされた後、ステップＳ７０３に進む。このステップＳ７０１およびステップＳ７０２の処理は、上記したステップＳ６０１（図１２参照）およびステップＳ６０２の処理と同様である。
【００６３】
次に、ステップＳ７０３において、カテゴリＩＤに該当するフラギング判定値テーブル１６（図３参照）を取得する。次に、ステップＳ７０４において、処理済測定データの数値に関して判定すべき全てのフラギング項目のフラギング判定がチェック済みであるかどうかが判断される。具体的には、フラギング判定値設定画面（図８参照）において、チェックボックス４８ｃにチェックが入れられた全てのフラギング項目についてフラギング判定が行われる。判定すべき全てのフラギング項目のフラギング判定がチェック済みである場合には、次のステップＳ８（図１０参照）に進む一方、判定すべき全てのフラギング項目のフラギング判定がチェック済みではない場合には、ステップＳ７０５に進む。そして、ステップＳ７０５以降において、所定のフラギング項目に対応する処理済測定データの数値がフラギング判定値テーブル１６（図３参照）のフラギング判定式の条件に該当するかどうかが判定される。
【００６４】
ステップＳ７０６では、所定のフラギング項目に対応する処理済測定データの数値が、フラギング判定式の条件に該当するかどうかが判断される。たとえば、図３に示したフラギング判定値テーブル１６の「Ｎｅｕｔｒｏｐｅｎｉａ」のフラギング項目では、ＮＥＵＴ＃（血液検体中の好中球の含有量）＜１０．０×１０２／μＬまたはＮＥＵＴ％（血液検体中の好中球の含有率）＜１０．０％のフラギング判定式に該当するかどうかが判断される。所定のフラギング項目に対応する処理済測定データの数値が、フラギング判定式の条件に該当する場合には、ステップＳ７０７に進む。一方、所定のフラギング項目に対応する処理済測定データの数値が、フラギング判定式の条件に該当しない場合には、ステップＳ７０８に進む。そして、ステップＳ７０７では、フラギング判定式の条件に該当したフラギング項目のフラギングメッセージがセットされた後、ステップＳ７０８に進む。そして、ステップＳ７０８では、フラギング判定の対象が次のフラギング項目に移行する。次に、再び、ステップＳ７０４において、判定すべき全てのフラギング項目のフラギング判定がチェック済みであるかどうかが判断される。上記のステップＳ７０４〜ステップＳ７０８が全てのフラギング項目についてのフラギング判定が完了するまで繰り返し行われる。
【００６５】
最後に、図１０に示すように、ステップＳ８において、分析結果表示画面（図９参照）のグラフ表示部４９および数値データ表示部５０に測定データおよび処理済測定データが表示される。この際、グラフ表示部４９には、ＤＩＦＦスキャッタグラム５５、ＷＳＣ／ＢＡＳＯスキャッタグラム５６、ＲＥＴスキャッタグラム５７、ＲＢＣ粒度分布５８およびＰＬＴ粒度分布５９が表示される。また、数値データ表示部５０には、ＤＩＦＦスキャッタグラム５５、ＷＳＣ／ＢＡＳＯスキャッタグラム５６、ＲＥＴスキャッタグラム５７、ＲＢＣ粒度分布５８およびＰＬＴ粒度分布５９に表示された測定データを分析処理することにより得られた数値データと、ステップＳ６０７およびステップＳ６０９（図１２参照）においてセットされた異常判定マーク（−）および（＋）とが表示される。また、フラギングメッセージ表示部５１には、ステップＳ７０７（図１３参照）においてセットされたフラギングメッセージが表示されるとともに、フラグ状態表示部５２には、「ＰＯＳＩＴＩＶＥ」が表示される。
【００６６】
本実施形態では、上記のように、所定の動物種（大分類）に属するカテゴリ（小分類）を選択可能な状態に表示するカテゴリコンボボックス２４と、表示されたカテゴリの一覧（プルダウンメニュー）２４ｂの中から選択された所定のカテゴリに対応する異常判定しきい値テーブル１５およびフラギング判定値テーブル１６に基づいて血液検体の測定データの分析を実行する端末側制御部１２とを設けることによって、端末側制御部１２により、血液検体の動物種を細分化したカテゴリに対応する異常判定しきい値テーブル１５およびフラギング判定値テーブル１６を用いて、血液検体の測定データの異常判定およびフラギングの判定を行うことができる。
【００６７】
また、本実施形態では、所定の動物種（大分類）に属するカテゴリ（小分類）を選択可能な状態に表示するカテゴリコンボボックス２４を設けることによって、所定の動物種を選択すれば、その所定の動物種に属するカテゴリのみを選択可能な状態に表示させることができるので、全ての動物種に属する多数のカテゴリを選択可能な状態に表示する場合と異なり、少ない数のカテゴリの中から所定のカテゴリを選択することができる。これにより、容易に、所定のカテゴリを選択することができる。
【００６８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６９】
たとえば、上記実施形態では、本発明の分析装置の一例として動物の血液を分析するための血液分析装置について説明したが、本発明はこれに限らず、動物の血液を分析するための血液分析装置以外の分析装置についても本発明を適用することができる。たとえば、人の血液を分析するための血液分析装置に本発明を適用してもよい。この際、大分類として「男性」および「女性」を適用するとともに、小分類として、「男性」に属する「健常人」、「疾患Ａを有する患者」および「疾患Ｂを有する患者」や、「女性」に属する「健常人」、「疾患Ｃを有する患者」および「疾患Ｄを有する患者」などを適用してもよい。
【００７０】
また、上記実施形態では、スキャッタグラムの区画分けの方法を大分類（動物種）に対応して変更するようにしたが、本発明はこれに限らず、スキャッタグラムの区画分けの方法を小分類（カテゴリ）に対応して変更するようにしてもよい。
【００７１】
また、上記実施形態では、血液を分析するための血液分析装置に本発明を適用した例について説明したが、本発明はこれに限らず、血液以外の分析物を分析するための分析装置にも本発明を適用することができる。たとえば、尿を分析するための分析装置などにも本発明を適用することができる。
【００７２】
また、上記実施形態では、動物種（大分類）をラット、マウス、ウサギ、イヌ、サルおよびＯｔｈｅｒによって構成したが、本発明はこれに限らず、上記以外の動物種を用いることも可能である。
【００７３】
また、上記実施形態では、測定部とデータ処理端末（データ処理部）とを別々に設ける例を示したが、本発明はこれに限らず、測定部にデータ処理部を組み込むようにしてもよい。
【００７４】
また、上記実施形態では、動物種を選択すると、その選択した動物種に属するカテゴリのみがカテゴリコンボボックスに表示されるように血液分析装置を構成する例を示したが、本発明はこれに限らず、たとえば、動物種を選択すると、その選択した動物種に属するカテゴリ、および、選択した動物種を含む複数の動物種に共通のカテゴリがカテゴリコンボボックスに表示されるように血液分析装置を構成してもよい。具体的には、動物種としての「マウス」および「ラット」に共通の「マウス・ラット標準」というカテゴリを設けるとともに、動物種コンボボックスにより「マウス」または「ラット」を選択すると、共通のカテゴリである「マウス・ラット標準」がカテゴリコンボボックスに表示されるように構成してもよい。
【図面の簡単な説明】
【００７５】
【図１】本発明の一実施形態による動物の血液を分析するための血液分析装置の全体構成を示した斜視図である。
【図２】図１に示した一実施形態による動物の血液を分析するための血液分析装置の内部構成を説明するためのブロック図である。
【図３】図１に示した一実施形態による動物の血液を分析するための血液分析装置の端末側制御部の機能について説明するための図である。
【図４】図１に示した一実施形態による動物の血液を分析するための血液分析装置に用いるデータ処理端末の測定登録画面を示した図である。
【図５】図１に示した一実施形態による動物の血液を分析するための血液分析装置に用いるデータ処理端末の測定登録画面を示した図である。
【図６】図１に示した一実施形態による動物の血液を分析するための血液分析装置に用いるデータ処理端末の測定登録画面を示した図である。
【図７】図１に示した一実施形態による動物の血液を分析するための血液分析装置に用いるデータ処理端末のカテゴリ設定画面を示した図である。
【図８】図１に示した一実施形態による動物の血液を分析するための血液分析装置に用いるデータ処理端末のフラギング判定値設定画面を示した図である。
【図９】図１に示した一実施形態による動物の血液を分析するための血液分析装置に用いるデータ処理端末の分析結果表示画面を示した図である。
【図１０】本発明の一実施形態による動物の血液を分析するための血液分析装置の血液検体を測定する際の動作を説明するためのフローチャートである。
【図１１】本発明の一実施形態による動物の血液を分析するための血液分析装置の測定登録時の動作を説明するためのフローチャートである。
【図１２】本発明の一実施形態による動物の血液を分析するための血液分析装置の異常判定時の動作を説明するためのフローチャートである。
【図１３】本発明の一実施形態による動物の血液を分析するための血液分析装置のフラギング判定時の動作を説明するためのフローチャートである。
【符号の説明】
【００７６】
１ａ  測定部
２  データ処理端末（データ処理部）
１２  端末側制御部（分析制御手段、分類記憶手段、分析条件記憶手段）
１５  異常判定しきい値テーブル（分析条件）
１６  フラギング判定値テーブル（分析条件）
１９  カテゴリ情報表示部（属性情報表示手段）
２３  動物種コンボボックス（大分類選択手段）
２４  カテゴリコンボボックス（小分類選択表示手段）
２４ｂ  カテゴリの一覧（プルダウンメニュー）
４８ａ  フラギングメッセージ（メッセージ）
【図１】
2006017637.tif 000003
【図２】
2006017637.tif 000004
【図３】
2006017637.tif 000005
【図４】
2006017637.tif 000006
【図５】
2006017637.tif 000007
【図６】
2006017637.tif 000008
【図７】
2006017637.tif 000009
【図８】
2006017637.tif 000010
【図９】
2006017637.tif 000011
【図１０】
2006017637.tif 000012
【図１１】
2006017637.tif 000013
【図１２】
2006017637.tif 000014
【図１３】
2006017637.tif 000015